(57)【要約】【課題】複数のチャンネルで同時受信できるレシーバーと複数のマイクとにより構成されるワイヤレスマイクシステムにおいて、システム間での混信を防止し、受信チャンネルがわからないレシーバーに合わせてマイクの送信チャンネルを短時間で自動設定できるようにする。【解決手段】同時に受信可能な複数の異なるバンドにそれぞれ対応した複数の受信回路手段と、各受信回路手段における複数の受信可能チャンネルの中から１つのチャンネルを指示するチャンネル指示信号を近辺に無線送信するチャンネル指示手段とを備えたレシーバーと、それぞれがレシーバーにおける複数のバンドのどれかに適合していて適合バンドにより外観が異なり、レシーバーからのチャンネル指示信号を受信して複数の送信可能チャンネルの中から１つのチャンネルを選択するチャンネル切替手段を備えた複数のワイヤレスマイクとにより構成される。【選択図】      図３
2004289453.tif 000002
【特許請求の範囲】
【請求項１】
レシーバーと、複数のワイヤレスマイクとを備えたワイヤレスマイクシステムであって、
レシーバーは、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を近辺に無線送信するチャンネル指示手段とを備え、
複数のワイヤレスマイクは、それぞれがレシーバーにおける複数のバンドのどれかに適合していて適合バンドにより外観が異なり、レシーバーからのチャンネル指示信号を受信して複数の送信可能チャンネルの中から１つのチャンネルを選択するチャンネル切替手段を備えている、
ことを特徴とするワイヤレスマイクシステム。
【請求項２】
請求項１に記載のワイヤレスマイクシステムを構成する前記レシーバーであって、同時に受信可能な複数の異なるバンドにそれぞれ対応した複数の受信回路手段と、各受信回路手段における複数の受信可能チャンネルの中から１つのチャンネルを選択するチャンネル設定手段と、チャンネル設定手段により選択されているチャンネルを指示するチャンネル指示信号を所定の信号経路上に送出するチャンネル指示手段とを備えたことを特徴とするレシーバー。
【請求項３】
前記チャンネル設定手段は、１系統の選択手段により各受信回路手段のチャンネルをまとめて選択することを特徴とする請求項２に記載のレシーバー。
【請求項４】
請求項１に記載のワイヤレスマイクシステムを構成する前記ワイヤレスマイクであって、適合バンドごとに異なる外観要素と、レシーバーからのチャンネル指示信号を受信して複数の送信可能チャンネルの中から１つのチャンネルを選択するチャンネル切替手段とを備えたことを特徴とするワイヤレスマイク。
【請求項５】
チャンネル切替手段は、電源を投入してから前記チャンネル指示信号を所定期間受信して１つのチャンネルを選択した上で前記チャンネル指示信号の受信動作を休止させることを特徴とする請求項４に記載のワイヤレスマイク。
【請求項６】
前記チャンネル切替手段は、所定の利用者入力を受け付ける機会ごとに前記チャンネル指示信号を所定期間受信して１つのチャンネルを選択することを特徴とする請求項４に記載のワイヤレスマイク。
【発明の詳細な説明】
【０００１】
【発明の属する技術分野】
この発明は、ワイヤレスマイクシステムに関し、具体的には、ワイヤレスマイクの送信チャンネルをレシーバーの受信チャンネルに合わせて自動設定する機能を備えたワイヤレスマイクシステムに関する。
【０００２】
【従来の技術】
ワイヤレスマイクシステムは、レシーバーとワイヤレスマイクとから構成される。ワイヤレスマイクシステムには、赤外線方式と電波方式とがある。これらの方式の違いは、マイク入力された音声の変調信号を赤外線を用いて搬送するか、電波を用いて搬送するかの点にあり、両方式ともＦＭ変調された音声信号を送受信している。
【０００３】
電波方式では、複数のシステムが近接して設置されていると混信する可能性があることから、各システムにおけるレシーバーとマイクの設定チャンネルを異ならせておく必要がある。その点、赤外線方式のシステムは、レシーバーとワイヤレスマイクとが見通せる位置関係に無い限り、混信する可能性がない。しかしながら、各方式における搬送周波数は、一般的に、赤外線方式が２〜４ＭＨｚであり、電波式が８００ＭＨｚ程度である。したがって、電波式の方が帯域を広く取れ、音質がよい。なお、複数のシステム間での混信を防止するためにワイヤレスマイクとレシーバーとの送受信をチャンネルごとに繰り返してスキャンして空きチャンネルを特定し、そのチャンネルに自動設定するワイヤレスマイクシステムもある（例えば、特許文献１参照）。
【０００４】
【特許文献１】
特開平６−３２６６２１号公報
【０００５】
【発明が解決しようとする課題】
ワイヤレスマイクシステムを装備した機器として、カラオケ装置がよく知られている。上述したように、電波式ワイヤレスマイクシステムは、赤外線方式より音質の点で勝るため、カラオケという音質が重視される用途ではカラオケ装置には電波式ワイヤレスシステムを装備する方が望ましい。しかし、カラオケボックスなど、複数の客室のそれぞれにカラオケ装置が設置されている店舗形態では、隣室のカラオケ装置に他の客室のマイクの音声が混入する可能性がある。そのため、各客室におけるワイヤレスマイクシステムが使用するチャンネルは厳密に管理されている。しかも、カラオケ装置用のワイヤレスマイクシステムでは、デュエット用に同時に使用可能な２本のマイクが付属しており、これら２本のマイクについても相互に干渉しないように、カラオケ装置本体には、送信チャンネルの異なる２つのワイヤレスマイクからの変調音声信号を同時に受信・復調できるように２系統の受信・復調回路が実装されたレシーバーが搭載されている。
【０００６】
ところで、カラオケ装置に適用されるワイヤレスマイクシステムの大きな問題点としては、チャンネルがシステムごとにほぼ固定的に設定されている点にある。すなわち、あるカラオケ装置用のマイクが故障するなどして他のマイクに交換する場合、レシーバーの受信チャンネルを確認し、どちらの受信チャンネルに対応するマイクを交換するのかを調べる。そして、マイクの送信チャンネルを正しく設定する。この作業は極めて煩雑であり、その作業を利用客がするわけにも行かない。また、上記特開平６−３２６６２１号公報に記載のワイヤレスマイクシステムがカラオケ装置に装備されていたとしても、空きチャンネルをスキャンするのに時間が掛かるし、ワイヤレスマイクシステム自体も高価である。したがって、カラオケ装置には赤外線方式のワイヤレスマイクシステムが装備されている場合が多い。
【０００７】
本発明は、複数のチャンネルで受信できるレシーバーとそれぞれのチャンネルに対応する複数のマイクとにより構成されるとともに、複数のシステムが近接して設置される使用形態にも対応し、簡単にかつ短時間で受信チャンネルがわからないレシーバーに合わせてマイクの送信チャンネルを自動設定できる安価なワイヤレスマイクシステムを提供することを目的としている。
【０００８】
【課題を解決するための手段】
本発明は、レシーバーと、複数のワイヤレスマイクとを備えたワイヤレスマイクシステムであって、レシーバーは、同時に受信可能な複数の異なるバンドにそれぞれ対応した複数の受信回路手段と、各受信回路手段における複数の受信可能チャンネルの中から１つのチャンネルを指示するチャンネル指示信号を近辺に無線送信するチャンネル指示手段とを備え、複数のワイヤレスマイクは、それぞれがレシーバーにおける複数のバンドのどれかに適合していて適合バンドにより外観が異なり、レシーバーからのチャンネル指示信号を受信して複数の送信可能チャンネルの中から１つのチャンネルを選択するチャンネル切替手段を備えている。
【０００９】
また、上記ワイヤレスマイクシステムを構成する前記レシーバーも本発明の範囲であり、同時に受信可能な複数の異なるバンドにそれぞれ対応した複数の受信回路手段と、各受信回路手段における複数の受信可能チャンネルの中から１つのチャンネルを指示するチャンネル指示信号を近辺に無線送信するチャンネル指示手段とを備えている。
【００１０】
なおレシーバーは、前記チャンネル設定手段は、１系統の選択手段により各受信回路手段のチャンネルをまとめて選択することとしてもよい。
【００１１】
本発明は、上記ワイヤレスマイクシステムを構成する前記ワイヤレスマイクにも及んでおり、適合バンドごとに異なる外観要素と、レシーバーからのチャンネル指示信号を受信して複数の送信可能チャンネルの中から１つのチャンネルを選択するチャンネル切替手段とを備えている。
【００１２】
このワイヤレスマイクにおいて、チャンネル切替手段は、電源を投入してから前記チャンネル指示信号を所定期間受信して１つのチャンネルを選択した上で前記チャンネル指示信号の受信動作を休止させることとしてもよい。
【００１３】
また、前記チャンネル切替手段は、所定の利用者入力を受け付ける機会ごとに前記チャンネル指示信号を所定期間受信して１つのチャンネルを選択することとしてもよい。
【００１４】
【発明の実施の形態】
＝＝＝ワイヤレスマイクシステムの設置例＝＝＝
本発明のワイヤレスマイクシステムは、カラオケ装置などに装備され、複数の客室のそれぞれにカラオケ装置が設置されている店舗などに適用することができる。ここでは、複数のワイヤレスマイクシステムが複数の独立した部屋に設置されるとともに、各部屋が近接している場合を想定する。
【００１５】
この想定の下で本発明の実施例におけるワイヤレスマイクシステムのチャンネル設定方法について説明する。本実施例のワイヤレスマイクシステムは、特定の２つのバンドで同時受信できるレシーバーと、２つのバンドのそれぞれに適合するワイヤレスマイク２本によって構成されている。すなわち、２本のワイヤレスマイクの適合バンドは異なり、他方のバンドに属するチャンネルでは送信できないような構成となっている。また、複数のワイヤレスマイクシステムでは同じバンドについては同じチャンネルとならないようにレシーバーの受信チャンネルがあらかじめ設定されているものとする。
【００１６】
図１に各ワイヤレスマイクシステムにおけるバンドとチャンネルの設定例を示した。この例では５組のワイヤレスマイクシステム（Ａ〜Ｅ）が設置されており、各ワイヤレスマイクシステムは、特定の２つのバンドａ、ｂと、各バンドについて１〜５の５つのチャンネルを使用することができるようになっている。したがって、バンドとチャンネルの組み合わせによってそのシステムが使用する周波数が決定する。すなわち、同じ組み合わせが存在しなければ混信は発生しない。なおバンドとは、あるバンドに属するチャンネルの周波数と、他のバンドに属するチャンネルの周波数とが帯域を含めて重複しないように設定されたチャンネル群であり、所定の周波数範囲でなくてもよい。
【００１７】
＝＝＝ワイヤレスマイクのバンド特定＝＝＝
カラオケ装置などに装備されるワイヤレスマイクシステムでは、設置当初にレシーバーの受信バンドと受信チャンネルを設定してしまえば、そのバンドとチャンネルの組み合わせは変更されることはなく、ほぼ固定的に設定されたままとなる。このような設置形態において、例えば、一方のバンドに対応するワイヤレスマイクが故障したとする。この場合、故障したマイクが対応しているバンドがａ、ｂのいずれかであるのかを知る必要がある。そこで、ワイヤレスマイクの外観をａ、ｂの各バンドに応じて変えている。図２に本実施例のワイヤレスマイクシステムにおけるワイヤレスマイクの外観図を示した。マイク２のグリップ２４部分に電源スイッチ２１と、送信チャンネルを設定するためのボタン（チャンネル設定ボタン）２２とが配設されている。そして本実施例では、グリップ２４の部分に自身の適合バンドに応じて色の異なるテープ２３が貼られている。もちろん、マイク自体の形状や「ａ」「ｂ」とバンド自体を明記するなど、外観的な特徴が適合するバンドによって異なればそれでよい。
【００１８】
＝＝＝ワイヤレスマイクシステムのチャンネル設定＝＝＝
つぎに、交換すべきワイヤレスマイクのバンドを知ることができたとしても、送信相手のレシーバーの受信チャンネルを知ることができなければ送信チャンネルを合わせることができない。また、送信チャンネルの設定方法が複雑であれば、利用者はチャンネルを正しく合わせることができない。本実施例のワイヤレスマイクシステムは、レシーバーの受信チャンネルがわからなくても、自動的にワイヤレスマイクの送信チャンネルを正しく自動設定する機能を備えている。
【００１９】
図３（Ａ）（Ｂ）にそれぞれ、ワイヤレスマイクシステムにおけるレシーバーとワイヤレスマイクの機能ブロック図を示した。レシーバー１はレシーバー制御部１１を主制御部として統括制御されている。また、２つのバンドに対応して２つの受信処理系統として受信回路１２ａ、１２ｂを備え、各受信回路１２ａ、１２ｂは、従来のレシーバーと同様に、アンテナ１３を介して導入されるあるバンドのあるチャンネル（搬送周波数）に同調し、その搬送波を検波して変調されている音声信号を復調する。そして、その音声信号を増幅して外部の音響機器に出力する。
【００２０】
操作パネル１４は各バンドにおける受信チャンネルの設定入力を受け付ける。操作制御部１５は、操作パネル１４に対する操作入力に応じた情報をレシーバー制御部１１に受け渡す。レシーバー制御部１１は、設定された各バンドの受信チャンネルに応じて同調周波数を変更する。
【００２１】
また、レシーバー制御部１１は、各バンドのチャンネルが変更設定されるごとに、そのバンドとチャンネルの組み合わせについての情報を含むコードを生成する。そして、そのコードをＬＥＤ駆動制御部１６に与える。ＬＥＤ駆動制御部１６は、このコードの記憶部とＬＥＤの駆動回路とを含み、コードを逐次読み出してそのコードに応じた変調信号によりＬＥＤ１７を駆動する。すなわち、バンドとチャンネルの指示情報を含んだ赤外線信号を送出し続ける。
【００２２】
一方、ワイヤレスマイク２は、マイク制御部２５を主制御部として統括・制御される。変調部２８は、ＰＬＬ、ＶＣＯを含んで構成され、マイク制御部２５がＰＬＬを制御して送信チャンネルに相当する周波数で発振させる。ピックアップ２６に入力された音声はここで音響電気変換され、音声信号増幅部２７により増幅される。変調部２８は、この増幅音声信号によって発振周波数の信号を変調する。この変調音声信号は、送信電波増幅部２９により増幅されてアンテナ３０より変調電波として送出される。
【００２３】
さらにこのワイヤレスマイク２は、レシーバー１の受信バンドと受信チャンネルの組み合わせに応じて送信チャンネルをそれに合わせて自動設定する機能を備えている。マイク制御部２５は、電源が投入された状態で、チャンネル設定ボタン２２が押されると、赤外線信号受信制御部３１を能動化する。受光部３２は、レシーバー１から常時送出されている赤外線のチャンネル指示信号を受光して電気信号に変換する。赤外線信号受信制御部３１はこの電気信号からコードを復号してそれをマイク制御部２５に受け渡す。マイク制御部２５は、コードに含まれるバンドの情報がマイク自身が対応するバンドであることを確認すると、コードに含まれるチャンネルを発信周波数として、変調部２８を制御する。それによって、送信チャンネルが自動設定される。また、この自動設定が終了すると、赤外線信号受信制御部３１の動作を停止させて消費電力を節約するようにしている。もちろん、電源が入っているときには常時送信チャンネルの設定動作を行うようにしてもよいし、所定期間ごとにレシーバーからの赤外線信号を受信するようにしてもよい。もちろん、電源が投入された時点から所定期間チャンネル指示信号を受信して送信チャンネルを設定し、設定し終えたら受信動作を休止状態にすることもできる。
【００２４】
＝＝＝レシーバーにおける受信チャンネルの設定＝＝＝
レシーバーは同時受信可能な複数のバンドのそれぞれに受信チャンネルを選択・設定するように構成されている。もちろん、各バンドごとに受信チャンネルの選択入力を受け付けるようにしてもよいが、バンドの数だけ選択作業が必要となる。また、各バンド間では受信チャンネルの組み合わせが任意となり、近隣の他のシステムにて選択されているバンドと受信チャンネルの組み合わせと同じになってしまう可能性もある。
【００２５】
そこで、それぞれのバンドに対応して選択される受信チャンネルについて、あらかじめチャンネルの組み合わせを決めておき、その組み合わせを指定するようにすれば、バンドごとに受信チャンネルを設定することなく、１回の操作で纏めて各バンドの受信チャンネルを選択することができる。また、複数のシステム間では、バンドごとの受信チャンネルの選択状況を考慮することなく、受信チャンネルの組み合わせを異なるものにするだけで混信を防止することができる。
【００２６】
＝＝＝バンドとチャンネルの情報伝達＝＝＝
上記実施例では、赤外線信号によってレシーバーの受信バンドと受信チャンネルの情報をワイヤレスマイクに伝達していた。この例に限らず、ブルートゥース（登録商標）など、他の短距離無線通信方式を採用することもできる。
【００２７】
【発明の効果】
本発明のワイヤレスマイクシステムによれば、複数のチャンネルで受信できるレシーバーとそれぞれのチャンネルに対応する複数のマイクとを含むシステム構成に対応し、簡単にかつ短時間で受信チャンネルがわからないレシーバーに合わせてマイクの送信チャンネルを自動選択きる。また、システム自体も安価なコストで提供することができる。
【図面の簡単な説明】
【図１】本発明の実施例におけるワイヤレスマイクシステムのチャンネル設定状態を示す概略図である。
【図２】上記ワイヤレスマイクシステムを構成するワイヤレスマイクの外観図である。
【図３】上記ワイヤレスマイクシステムの構成図であり、（Ａ）（Ｂ）はそれぞれレシーバーの機能ブロック図とワイヤレスマイクの機能ブロック図である。
【符号の説明】
１  レシーバー
２  ワイヤレスマイク
１１  レシーバー制御部
１２ａ、１２ｂ  受信回路
１７  ＬＥＤ
２３  適合バンド指示テープ
２５  マイク制御部
３１  赤外線信号受信制御部
３２  受光部
【図１】
2004289453.tif 000003
【図２】
2004289453.tif 000004
【図３】
2004289453.tif 000005